(57)【要約】【課題】この発明は、カードリーダに登録されているリーダ側認証用鍵の書き換えをより容易に行うことができるカードリーダシステムを提供することを目的とするものである。【解決手段】センタ装置１は、カードリーダ２の設置場所から遠隔に設けられている。カードリーダ２は、センタ装置１が接続される上位コントローラ部６及びリーダ側認証用鍵が登録されているＩＣカードリーダライタ部８を有している。リーダ側認証用鍵の書き換えが必要なときには、センタ装置１からカードリーダ２に対して、モード切り替え指令を入力することで、カードリーダ２の動作モードを鍵書き換えモードに切り替える。【選択図】図２
2006171924.tif 000002
【特許請求の範囲】
【請求項１】
リーダ側認証用鍵が登録されている認証用鍵記憶部とモード切り替え指令入力部とを有するカードリーダ、及び
上記モード切り替え指令入力部に接続され、上記カードリーダに対してモード切り替え指令を発する外部制御装置
を備え、
上記カードリーダの動作モードには、ＩＣカードに予め登録されているカード側認証用鍵とリーダ側認証用鍵とを照合して上記ＩＣカードに対する情報の読み書きを行う通常モードと、リーダ側認証用鍵の書き換えを行う鍵書き換えモードとが含まれており、
上記カードリーダは、上記外部制御装置からのモード切り替え指令に応じて、動作モードを切り替えることを特徴とするカードリーダシステム。
【請求項２】
上記外部制御装置は、上記カードリーダの設置場所から遠隔に設けられており、上記カードリーダには通信回線を介して接続されることを特徴とする請求項１記載のカードリーダシステム。
【請求項３】
リーダ側認証用鍵は、上記外部制御装置から上記カードリーダに対して入力されることを特徴とする請求項１又は請求項２に記載のカードリーダシステム。
【請求項４】
上記外部制御装置は、上記カードリーダの動作モードを監視し、動作モードが上記鍵書き換えモードである状態が、設定された基準時間を経過すると、異常を検出し、異常を報知することを特徴とする請求項１〜請求項３のいずれかに記載のカードリーダシステム。
【発明の詳細な説明】
【技術分野】
【０００１】
この発明は、ＩＣカードとカードリーダとの間で認証用鍵の照合が行われるカードリーダシステムに関するものである。
【背景技術】
【０００２】
従来装置では、カードリーダは、ＩＣカードとの通信を行うためのＩＣカードリーダライタ部を有している。ＩＣカードリーダライタ部には、ＩＣカードに対する情報の読み書きを行うための鍵が登録されている。カードリーダは、ＩＣカードとカードリーダとの間で鍵の照合が行われることで、ＩＣカードに対する情報の読み書きを行うことができる。また、鍵の書き換えが必要なときには、ＩＣカードリーダライタ部に専用の装置が接続され、ＩＣカードリーダライタ部の動作モードが鍵書き換えモードに切り替えられた後に、鍵の書き換えが行われる（例えば、特許文献１参照）。
【０００３】
【特許文献１】特開２００４−０１３７２８号公報
【発明の開示】
【発明が解決しようとする課題】
【０００４】
上記のような従来のカードリーダシステムでは、一般にＩＣカードリーダライタ部は、カードリーダ内部に格納されており、ＩＣカードリーダライタ部に動作モード切り替え用の専用の装置を接続するためにはカードリーダを設置場所から取り外す必要がある。
【０００５】
この発明は、上記のような課題を解決するためになされたものであり、その目的は、カードリーダに登録されているリーダ側認証用鍵の書き換えをより容易に行うことができるカードリーダシステムを提供することである。
【課題を解決するための手段】
【０００６】
この発明に係るカードリーダシステムは、リーダ側認証用鍵が登録されている認証用鍵記憶部とモード切り替え指令入力部とを有するカードリーダ、及びモード切り替え指令入力部に接続され、カードリーダに対してモード切り替え指令を発する外部制御装置を備え、カードリーダの動作モードには、ＩＣカードに予め登録されているカード側認証用鍵とリーダ側認証用鍵とを照合してＩＣカードに対する情報の読み書きを行う通常モードと、リーダ側認証用鍵の書き換えを行う鍵書き換えモードとが含まれており、カードリーダは、外部制御装置からのモード切り替え指令に応じて、動作モードを切り替える。
【発明の効果】
【０００７】
この発明のカードリーダシステムによれば、カードリーダは、モード切り替え指令入力部を有しているので、外部制御装置は、モード切り替え指令をモード切り替え指令入力部に入力することで、カードリーダの動作モードを切り替えることができ、カードリーダを設置場所から取り外すことなくリーダ側認証用鍵の書き換えを行うことができる。即ち、カードリーダに登録されているリーダ側認証用鍵の書き換えをより容易に行うことができる。
【発明を実施するための最良の形態】
【０００８】
以下、この発明を実施するための最良の形態について、図面を参照して説明する。
実施の形態１．
図１は、この発明の実施の形態１によるカードリーダシステムを示すブロック図である。図において、外部制御装置としてのセンタ装置１には、ＩＣカード３に対する情報の読み書きを行う複数のカードリーダ２が接続されている。各カードリーダ２には、リーダ側認証用鍵（パスワード）が格納されている。ＩＣカード３には、カード側認証用鍵が格納されている。カードリーダ２は、リーダ側認証用鍵とカード側認証用鍵とが照合されることで、ＩＣカード３に対する情報の読み書きを行うことができる。
【０００９】
例えば、センタ装置１は、ビル内の管理室に設けられており、カードリーダ２は、ビル内の各フロアに設けられている。即ち、センタ装置１は、カードリーダ２の設置場所から遠隔に設けられており、ＬＡＮ（Ｌｏｃａｌ  Ａｒｅａ  Ｎｅｔｗｏｒｋ）などの通信回線網を介してカードリーダ２に接続されている。
【００１０】
次に、図２は、図１のカードリーダ２の詳細な構成を示すブロック図である。図において、カードリーダ２は、カードリーダ２の動作を制御する情報処理部５、センタ装置１が接続される上位コントローラインタフェース部（モード切り替え指令入力部）６、ＩＣカード３と通信を行うためのＩＣカードインタフェース部７、及びリーダ側認証用鍵が登録されているＩＣカードリーダライタ部（認証用鍵記憶部）８を有している。
【００１１】
情報処理部５は、複数の動作モードを含むプログラムが格納されているＲＯＭ５ａ、プログラムの処理を行うＣＰＵ５ｂ、及びパラメータや演算結果を格納するＲＡＭ５ｃを有している。
【００１２】
カードリーダ２の動作モードには、リーダ側認証用鍵とカード側認証用鍵とを照合してＩＣカード３に対する情報の読み書きを行う通常モードと、リーダ側認証用鍵の書き換えを行う鍵書き換えモードとが含まれている。
【００１３】
ここで、例えば、ビル内で使用されているＩＣカード３が全て取り替えられるときなどには、新しいカード側認証用鍵に対応させるために、カードリーダ２内のリーダ側認証用鍵を書き換える必要がある。このようなときに、カードリーダ２は、鍵書き換えモードで動作される。なお、動作モードが鍵書き換えモードのときには、カードリーダ２は、通常モードの動作を行わない。即ち、カードリーダ２は、２つの動作モードを同時に行わない。
【００１４】
センタ装置１は、カードリーダ２に対してモード切り替え指令を入力する。カードリーダ２は、センタ装置１からのモード切り替え指令に応じて、動作モードを切り替える。また、センタ装置１は、動作モードを鍵書き換えモードにするモード切り替え指令をカードリーダ２に対して入力したときに、そのカードリーダ２に対して新たなリーダ側認証用鍵を入力する。
【００１５】
さらに、センタ装置１は、カードリーダ２の動作モードを監視し、カードリーダ２の動作モードが鍵書き換えモードである状態が、設定された基準時間を経過したときに、動作モードの異常を検出する。さらにまた、センタ装置１は、カードリーダ２の動作モードの異常を検出すると、例えば警報装置などを用いて、その異常を管理人に対して報知する。
【００１６】
次に、図３は、図２のセンタ装置１とカードリーダ２との間、及びカードリーダ２内での鍵書き換えモード時に行われる情報交換の状態を示す説明図である。図において、センタ装置１から上位コントローラインタフェース部６に対して、動作モードを鍵書き換えモードにするモード切り替え指令１０が入力されると、そのモード切り替え指令１０は情報処理部５に入力される。
【００１７】
すると、動作モードが鍵書き換えモードに切り替えられ、鍵書き換えモードを実行させるための鍵書き換えモード動作指令１１が、情報処理部５からＩＣカードインタフェース部７に入力されるとともに、動作モードが鍵書き換えモードに切り替えられたという情報である鍵書き換えモード状態情報１２が、情報処理部５から、上位コントローラインタフェース部６を介して、センタ装置１に入力される。
【００１８】
このとき、センタ装置１から、新たなリーダ側認証用鍵１３がＩＣカードリーダライタ部８に入力されると、ＩＣカードリーダライタ部８に格納されているリーダ側認証用鍵が書き換えられる。
【００１９】
次に、リーダ側認証用鍵の書き換えが終了すると、鍵書き換え終了情報１４が、ＩＣカードリーダライタ部８から情報処理部５に入力される。
【００２０】
すると、動作モードが通常モードに切り替えられ、通常モードを実行させるための通常モード動作指令１５が、情報処理部５からＩＣカードインタフェース部７に入力されるとともに、動作モードが通常モードに切り替えられたという情報である通常モード状態情報１６が、上位コントローラインタフェース部６を介して、情報処理部５からセンタ装置１に入力される。
【００２１】
一方、センタ装置１では、鍵書き換えモード状態情報１２を受信したときから、カードリーダ２が鍵書き換えモードである状態の時間が計測され始め、その時間が、予め設定された基準時間を経過すると、異常が検出され、管理人に対して異常が報知される。
【００２２】
このようなカードリーダシステムでは、カードリーダ２は、上位コントローラインタフェース部６を有しているので、センタ装置１は、モード切り替え指令を上位コントローラインタフェース部６に入力することで、カードリーダ２の動作モードを切り替えることができ、カードリーダ２を設置場所から取り外すことなくリーダ側認証用鍵の書き換えを行うことができる。即ち、カードリーダ２に登録されているリーダ側認証用鍵の書き換えをより容易に行うことができる。また、カードリーダ２の設置場所から遠隔に設けられているセンタ装置１から、カードリーダ２の動作モードを切り替えることができ、かつそのセンタ装置１から新たなリーダ側認証用鍵を入力することができるので、１台のセンタ装置１によって複数台のカードリーダ２の管理を行うことができる。
【００２３】
また、センタ装置１は、カードリーダ２の動作モードを監視し、動作モードが鍵書き換えモードである状態が設定された基準時間を経過すると、異常を検出し、異常を報知するので、鍵書き換えモードの解除忘れを防止することができ、通常のシステム運行に支障をきたすことを防ぐことができる。
【００２４】
なお、実施の形態１では、センタ装置１は、ビル内の管理室に設けられているように説明したが、外部制御装置は、ビル外の別の施設に設けられ、電話回線などを介してカードリーダに接続されてもよい。
【００２５】
また、実施の形態１では、カードリーダ２の設置場所から遠隔に設けられているように説明したが、外部制御装置は、カードリーダのモード切り替え指令入力部に接続されればよく、カードリーダの設置場所で、カードリーダの外装に設けられた端子を介してモード切り替え指令入力部に接続されてもよい。即ち、外部制御装置をカードリーダ２の設置場所に持ち運んでもよい。
【００２６】
さらに、実施の形態１では、リーダ側認証用鍵が書き換えられるときには、新たなリーダ側認証用鍵は、センタ装置１からカードリーダ２に入力されるように説明したが、リーダ側認証用鍵は、鍵書き換えモード中に、新たなリーダ側認証用鍵を格納したＩＣカードをカードリーダが読み込むことで書き換えられてもよい。
【図面の簡単な説明】
【００２７】
【図１】この発明の実施の形態１によるカードリーダシステムを示すブロック図である。
【図２】図１のカードリーダの詳細な構成を示すブロック図である。
【図３】図２のセンタ装置とカードリーダとの間、及びカードリーダ内での鍵書き換えモード時に行われる情報交換の状態を示す説明図である。
【符号の説明】
【００２８】
１  センタ装置、２  カードリーダ、３  ＩＣカード、６  上位コントローラインタフェース部（モード切り替え指令入力部）、８  ＩＣカードリーダライタ部（認証用鍵記憶部）。
【図１】
2006171924.tif 000003
【図２】
2006171924.tif 000004
【図３】
2006171924.tif 000005